(57)【特許請求の範囲】
【請求項１】
ファクシミリ情報を送受信し着信不完了時に自動再発呼する手段を備える第一端末との間でファクシミリ情報を送受信するファクシミリ通信トランク装置を交換機に設けておき、
ファクシミリ情報を送受信することができない第二端末に対して前記第一端末からの着信があるときに、前記第二端末が特定の番号を前記交換機にダイヤルすると、
前記交換機は、前記第二端末の発信加入者データに特定フラグを立て、その後に、前記交換機は、前記特定フラグが立てられた前記第二端末にファクシミリ情報の着信があることを検出すると、このファクシミリ情報を前記第二端末へは着信させずに前記ファクシミリ通信トランク装置に着信させ、前記ファクシミリ通信トランク装置は、そのファクシミリ情報を受信し、受信完了した旨を前記交換機に伝え、前記交換機は、前記ファクシミリ通信トランク装置から前記ファクシミリ情報の受信完了が伝えられると前記特定フラグを解除するとともに前記ファクシミリ通信トランク装置に対して前記第二端末の端末番号を伝え、前記ファクシミリ通信トランク装置は、前記交換機から前記端末番号が伝えられると受信完了した前記ファクシミリ情報と前記端末番号と誤ダイヤルであることを示す情報とを含む不達通知を作成し、前記交換機は、前記第一端末と前記ファクシミリ通信トランク装置とを交換接続し、前記ファクシミリ通信トランク装置は、前記交換機により前記第一端末と交換接続されると前記第一端末に対して前記不達通知を送信する
ことを特徴とするファクシミリ不達通知方法。
【請求項２】
複数の交換機を備えた交換網において、
ファクシミリ情報を送受信することができない第二端末に対してファクシミリ情報を送信し着信不完了時に自動再発呼する手段を備える第一端末からの着信があるときに前記第二端末がその旨を前記交換機に通知するための特定の番号が定められ、
前記第一端末との間でファクシミリ情報を送受信するファクシミリ通信トランク装置が前記交換機に接続され、
前記交換機は、
前記第二端末から前記特定の番号を受信すると前記第二端末の発信加入者データに特定フラグを立てる手段と、
前記特定フラグが立てられた前記第二端末に対するファクシミリ情報の着信の有無を検出する手段と、
この検出する手段の検出結果が着信有りを示すときにはこのファクシミリ情報を前記ファクシミリ通信トランク装置に着信させる手段と
を備え、
前記ファクシミリ通信トランク装置は、
前記ファクシミリ情報を受信する手段と、
この受信する手段が前記ファクシミリ情報を受信完了した旨を前記交換機に伝える手段と
を備え、
前記交換機は、
前記ファクシミリ通信トランク装置から前記ファクシミリ情報の受信完了が伝えられると前記特定フラグを解除する手段と、
前記ファクシミリ通信トランク装置に対して前記第二端末の端末番号を伝える手段と
を備え、
前記ファクシミリ通信トランク装置は、前記交換機から前記端末番号が伝えられると受信完了した前記ファクシミリ情報と前記端末番号と誤ダイヤルであることを示す情報とを含む不達通知を作成する手段を備え、
前記交換機は、前記第一端末と前記ファクシミリ通信トランク装置とを交換接続する手段を備え、前記ファクシミリ通信トランク装置は、前記交換機により前記第一端末と交換接続されると前記第一端末に対して前記不達通知を送信する手段とを備えたことを特徴とする交換網。
【請求項３】
ファクシミリ情報を送受信することができない第二端末に対してファクシミリ情報を送信し着信不完了時に自動再発呼をする手段を備える第一端末からの着信があるときに前記第二端末がその旨を交換機に通知するための特定の番号が定められた交換網に設けられ、
前記第一端末との間でファクシミリ情報を送受信するファクシミリ通信トランク装置が接続され、
前記第二端末から前記特定の番号を受信すると前記第二端末の発信加入者データに特定フラグを立てる手段と、
前記特定フラグが立てられた前記第二端末に対するファクシミリ情報の着信の有無を検出する手段と、
この検出する手段の検出結果が着信有りを示すときにはこのファクシミリ情報を前記ファクシミリ通信トランク装置に着信させる手段と、
前記ファクシミリ通信トランク装置から前記ファクシミリ情報の受信完了が伝えられると前記特定フラグを解除する手段と、
前記ファクシミリ通信トランク装置に対して前記第二端末の端末番号を伝える手段と、
前記第一端末と前記ファクシミリ通信トランク装置とを交換接続し、前記ファクシミリ通信トランク装置が作成した前記ファクシミリ情報と前記第二端末番号と誤ダイヤルであることを示す情報とを含む不達通知を送出する手段と
を備えたことを特徴とする交換機。
【請求項４】
ファクシミリ情報を送受信することができない第二端末に対してファクシミリ情報を送信し着信不完了時に自動再発呼をする手段を備える第一端末からの着信があるときに前記第二端末がその旨を交換機に通知するための特定の番号が定められた交換網に設けられ、
前記交換機に接続され、
ファクシミリ情報を受信する手段と、
この受信する手段が前記ファクシミリ情報を受信完了した旨を前記交換機に伝える手段と、
前記交換機から前記第二端末の端末番号が伝えられると受信完了した前記ファクシミリ情報と前記第二端末の端末番号と誤ダイヤルであることを示す情報とを含む不達通知を作成する手段と、
前記交換機により前記第一端末と交換接続されると前記第一端末に対して前記不達通知を送信する手段とを備えた
ことを特徴とするファクシミリ通信トランク装置。
【請求項５】
ファクシミリ情報を送受信することができない第二端末に対してファクシミリ情報を送信し着信不完了時に自動再発呼をする手段を備える第一端末からの着信があるときに前記第二端末がその旨を交換機に通知するための特定の番号が定められた交換網に設けられた情報処理装置にインストールすることにより、その情報処理装置に、
前記第一端末との間でファクシミリ情報を送受信するファクシミリ通信トランク装置が設けられた交換網に適用される交換機の機能として、
前記第二端末から前記特定の番号を受信すると前記第二端末の発信加入者データに特定フラグを立てる機能と、
前記特定フラグが立てられた前記第二端末に対するファクシミリ情報の着信の有無を検出する機能と、
この検出する機能の検出結果が着信有りを示すときにはこのファクシミリ情報を前記ファクシミリ通信トランク装置に着信させる機能と、
前記ファクシミリ通信トランク装置から前記ファクシミリ情報の受信完了が伝えられると前記特定フラグを解除する機能と、
前記ファクシミリ通信トランク装置に対して前記第二端末の端末番号を伝える機能と、
前記第一端末と前記ファクシミリ通信トランク装置とを交換接続し前記ファクシミリ通信トランク装置が作成した前記ファクシミリ情報と前記第二端末番号と誤ダイヤルであることを示す情報とを含む不達通知を送出する機能と
を実現させることを特徴とするプログラム。
【請求項６】
ファクシミリ情報を送受信することができない第二端末に対してファクシミリ情報を送信し着信不完了時に自動再発呼をする手段を備える第一端末からの着信があるときに前記第二端末がその旨を交換機に通知するための特定の番号が定められた交換網に設けられた情報処理装置にインストールすることにより、その情報処理装置に、
前記第一端末との間でファクシミリ情報を送受信する前記交換機に接続されたファクシミリ通信トランク装置の機能として、
ファクシミリ情報を受信する機能と、
この受信する機能が前記ファクシミリ情報を受信完了した旨を交換機に伝える機能と、
前記交換機から前記第二端末の端末番号が伝えられると受信完了した前記ファクシミリ情報と前記第二端末の端末番号と誤ダイヤルであることを示す情報とを含む不達通知を作成する機能と、
前記交換機により前記第一端末と交換接続されると前記第一端末に対して前記不達通知を送信する機能と
を実現させることを特徴とするプログラム。
【請求項７】
請求項５または６のいずれかに記載のプログラムが記録され前記情報処理装置で読取可能な記録媒体。
【発明の詳細な説明】
【０００１】
【発明の属する技術分野】
本発明は、ファクシミリ情報を送受信するファクシミリ端末（以下、第一端末という）と音声端末等のファクシミリ情報を送受信できない端末（以下、第二端末という）とが混在する交換網に利用する。特に、第一端末への誤発呼通知技術に関する。
【０００２】
【従来の技術】
ファクシミリ情報を送受信する第一端末とファクシミリ情報を送受信できない音声端末等の第二端末とが混在する通信網では、第一端末から誤って音声端末等の第二端末へ着信があってもこの第二端末ではファクシミリ情報を受信できないため、通信不完了で終了する。最近の第一端末は通信不完了時には自動的に一定時間後に同じ宛先へ再発呼するように設定されているのが一般的である。したがって、発信、通信不完了の動作が何度も繰り返される。
【０００３】
【発明が解決しようとする課題】
このような自動再送を繰り返す第一端末では、一度、ファクシミリの送り先を誤って設定すると、再送が自動的に行なわれるため、発信側では、誤っていることに気が付かず、着信側では、何度も誤った着信があり、その都度、受話器を取るなどの動作が必要で、精神的負担は大きく、また、交換網においても無効な発信が行われ、設備の無効使用が発生する。
【０００４】
本発明は、このような背景に行われたものであって、第一端末から第二端末への誤った着信があったときに、第二端末への度重なる再着信を防ぎ、誤った端末番号で発呼した第一端末へは不達通知により端末番号が誤っていることを知らせることができ、着信側では不快な誤り電話に何度も対応する必要がなく、また交換網においても無効な発信が抑えられ、設備の無効使用をなくすことができるファクシミリ不達通知方法および交換網および交換機およびファクシミリ通信トランク装置およびプログラムおよび記録媒体を提供することを目的とする。
【０００５】
【課題を解決するための手段】
本発明の第一の観点はファクシミリ不達通知方法であって、本発明の特徴とするところは、ファクシミリ情報を送受信する第一端末との間でファクシミリ情報を送受信するファクシミリ通信トランク装置を交換機に設けておき、ファクシミリ情報を送受信することができない第二端末に対して前記第一端末からの着信があるときに、前記第二端末が特定の番号を前記交換機にダイヤルすると、前記交換機は、前記第二端末の発信加入者データに特定フラグを立て、その後に、前記交換機は、前記特定フラグが立てられた前記第二端末にファクシミリ情報の着信があることを検出すると、このファクシミリ情報を前記第二端末へは着信させずに前記ファクシミリ通信トランク装置に着信させ、前記ファクシミリ通信トランク装置は、そのファクシミリ情報を受信し、受信完了した旨を前記交換機に伝え、前記交換機は、前記ファクシミリ通信トランク装置から前記ファクシミリ情報の受信完了が伝えられると前記特定フラグを解除するとともに前記ファクシミリ通信トランク装置に対して前記第二端末の端末番号を伝え、前記ファクシミリ通信トランク装置は、前記交換機から前記端末番号が伝えられると受信完了した前記ファクシミリ情報と前記端末番号とを含む不達通知を作成し、前記交換機は、前記第一端末と前記ファクシミリ通信トランク装置とを交換接続し、前記ファクシミリ通信トランク装置は、前記交換機により前記第一端末と交換接続されると前記第一端末に対して前記不達通知を送信するところにある。
【０００６】
これにより、第一端末から第二端末への誤った着信があったときに、第二端末への度重なる再着信を防ぎ、誤った端末番号で発呼した第一端末へは不達通知により端末番号が誤っていることを知らせることができる。したがって、着信側では不快な誤り電話に何度も対応する必要がなく、また交換網においても無効な発信が抑えられ、設備の無効使用をなくすことができる。
【０００７】
本発明の第二の観点は、複数の交換機を備えた交換網であって、本発明の特徴とするところは、ファクシミリ情報を送受信することができない第二端末に対してファクシミリ情報を送受信する第一端末からの着信があるときに前記第二端末がその旨を前記交換機に通知するための特定の番号が設定され、前記第一端末との間でファクシミリ情報を送受信するファクシミリ通信トランク装置が設けられ、前記交換機は、前記第二端末から前記特定の番号を受信すると前記第二端末の発信加入者データに特定フラグを立てる手段と、前記特定フラグが立てられた前記第二端末に対するファクシミリ情報の着信の有無を検出する手段と、この検出する手段の検出結果が着信有りを示すときにはこのファクシミリ情報を前記ファクシミリ通信トランク装置に着信させる手段とを備え、前記ファクシミリ通信トランク装置は、前記ファクシミリ情報を受信する手段と、この受信する手段が前記ファクシミリ情報を受信完了した旨を前記交換機に伝える手段とを備え、前記交換機は、前記ファクシミリ通信トランク装置から前記ファクシミリ情報の受信完了が伝えられると前記特定フラグを解除する手段と、前記ファクシミリ通信トランク装置に対して前記第二端末の端末番号を伝える手段とを備え、前記ファクシミリ通信トランク装置は、前記交換機から前記端末番号が伝えられると受信完了した前記ファクシミリ情報と前記端末番号とを含む不達通知を作成する手段を備え、前記交換機は、前記第一端末と前記ファクシミリ通信トランク装置とを交換接続する手段を備え、前記ファクシミリ通信トランク装置は、前記交換機により前記第一端末と交換接続されると前記第一端末に対して前記不達通知を送信する手段とを備えたところにある。
【０００８】
本発明の第三の観点は交換機であって、本発明の特徴とするところは、ファクシミリ情報を送受信することができない第二端末に対してファクシミリ情報を送受信する第一端末からの着信があるときに前記第二端末がその旨を交換機に通知するための特定の番号が設定され、前記第一端末との間でファクシミリ情報を送受信するファクシミリ通信トランク装置が設けられ、前記第二端末から前記特定の番号を受信すると前記第二端末の発信加入者データに特定フラグを立てる手段と、前記特定フラグが立てられた前記第二端末に対するファクシミリ情報の着信の有無を検出する手段と、この検出する手段の検出結果が着信有りを示すときにはこのファクシミリ情報を前記ファクシミリ通信トランク装置に着信させる手段と、前記ファクシミリ通信トランク装置から前記ファクシミリ情報の受信完了が伝えられると前記特定フラグを解除する手段と、前記ファクシミリ通信トランク装置に対して前記第二端末の端末番号を伝える手段と、前記第一端末と前記ファクシミリ通信トランク装置とを交換接続する手段とを備えたところにある。
【０００９】
本発明の第四の観点はファクシミリ通信トランク装置であって、本発明の特徴とするところは、ファクシミリ情報を送受信することができない第二端末に対してファクシミリ情報を送受信する第一端末からの着信があるときに前記第二端末がその旨を交換機に通知するための特定の番号が設定され、前記交換機に接続され、ファクシミリ情報を受信する手段と、この受信する手段が前記ファクシミリ情報を受信完了した旨を前記交換機に伝える手段と、前記交換機から端末番号が伝えられると受信完了した前記ファクシミリ情報と前記端末番号とを含む不達通知を作成する手段と、前記交換機により前記第一端末と交換接続されると前記第一端末に対して前記不達通知を送信する手段とを備えたところにある。
【００１０】
本発明の第五の観点はプログラムであって、本発明の特徴とするところは、情報処理装置にインストールすることにより、その情報処理装置に、ファクシミリ情報を送受信することができない第二端末に対してファクシミリ情報を送受信する第一端末からの着信があるときに前記第二端末がその旨を交換機に通知するための特定の番号が設定され、前記第一端末との間でファクシミリ情報を送受信するファクシミリ通信トランク装置が設けられた交換網に適用される交換機に相応する機能として、前記第二端末から前記特定の番号を受信すると前記第二端末の発信加入者データに特定フラグを立てる機能と、前記特定フラグが立てられた前記第二端末に対するファクシミリ情報の着信の有無を検出する機能と、この検出する機能の検出結果が着信有りを示すときにはこのファクシミリ情報を前記ファクシミリ通信トランク装置に着信させる機能と、前記ファクシミリ通信トランク装置から前記ファクシミリ情報の受信完了が伝えられると前記特定フラグを解除する機能と、前記ファクシミリ通信トランク装置に対して前記第二端末の端末番号を伝える機能と、前記第一端末と前記ファクシミリ通信トランク装置とを交換接続する機能とを実現させるところにある。
【００１１】
あるいは、本発明のプログラムの特徴とするところは、情報処理装置にインストールすることにより、その情報処理装置に、ファクシミリ情報を送受信することができない第二端末に対してファクシミリ情報を送受信する第一端末からの着信があるときに前記第二端末がその旨を交換機に通知するための特定の番号が設定され、前記第一端末との間でファクシミリ情報を送受信する前記交換機に接続されたファクシミリ通信トランク装置に相応する機能として、ファクシミリ情報を受信する機能と、この受信する機能が前記ファクシミリ情報を受信完了した旨を交換機に伝える機能と、前記交換機から端末番号が伝えられると受信完了した前記ファクシミリ情報と前記端末番号とを含む不達通知を作成する機能と、前記交換機により前記第一端末と交換接続されると前記第一端末に対して前記不達通知を送信する機能とを実現させるところにある。
【００１２】
本発明の第六の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００１３】
これにより、コンピュータ装置等の情報処理装置により、第一端末から第二端末への誤った着信があったときに、第二端末への度重なる再着信を防ぎ、誤った端末番号で発呼した第一端末へは不達通知により端末番号が誤っていることを知らせることができる交換網に適用される交換機およびファクシミリ通信トランク装置を実現することができる。
【００１４】
【発明の実施の形態】
本発明実施例の交換網を図１ないし図３を参照して説明する。図１は本発明実施例の交換網の全体構成図である。図２は本発明実施例の交換機のブロック構成図である。図３は本発明実施例のファクシミリ通知トランク装置のブロック構成図である。
【００１５】
本発明は、図１に示すように、交換機２および３を備えた交換網１であって、本発明の特徴とするところは、ファクシミリ情報を送受信することができない第二端末としての音声端末６に対してファクシミリ情報を送受信する第一端末としてのファクシミリ端末５からの着信があるときに音声端末６がその旨を交換機２に通知するための特定の番号が設定され、ファクシミリ端末５との間でファクシミリ情報を送受信するファクシミリ通信トランク装置４が設けられ、交換機２は、図２に示すように、音声端末６から前記特定の番号を受信すると音声端末６の発信加入者データに特定フラグを立てる特定番号受付部３０と、前記特定フラグが立てられた音声端末６に対するファクシミリ情報の着信の有無を検出するファクシミリ情報着信検出部３１と、このファクシミリ情報着信検出部３１の検出結果が着信有りを示すときにはこのファクシミリ情報をファクシミリ通信トランク装置４に着信させる着信先切替部３２とを備え、ファクシミリ通信トランク装置４は、図３に示すように、前記ファクシミリ情報を受信するファクシミリ情報受信部４０と、このファクシミリ情報受信部４０が前記ファクシミリ情報を受信完了した旨を交換機２に伝える受信完了通知部４１とを備え、交換機２の特定番号受付部３０は、ファクシミリ通信トランク装置４から前記ファクシミリ情報の受信完了が伝えられると前記特定フラグを解除し、ファクシミリ通信トランク装置４に対して音声端末６の端末番号を伝え、ファクシミリ通信トランク装置４は、交換機２から前記端末番号が伝えられると受信完了した前記ファクシミリ情報と前記端末番号とを含む不達通知を作成する不達通知作成部４２を備え、交換機２のファクシミリ通信トランク装置交換制御部３３は、ファクシミリ端末５とファクシミリ通信トランク装置４とを交換接続し、ファクシミリ通信トランク装置４は、交換機２によりファクシミリ端末５と交換接続されるとファクシミリ端末５に対して前記不達通知を送信する不達通知送信部４３とを備えたことにある。
【００１６】
本発明の交換網は、情報処理装置であるコンピュータ装置により実現することができる。すなわち、コンピュータ装置にインストールすることにより、そのコンピュータ装置に、ファクシミリ情報を送受信することができない第二端末としての音声端末６に対してファクシミリ情報を送受信する第一端末としてのファクシミリ端末５からの着信があるときに音声端末６がその旨を交換機２に通知するための特定の番号が設定され、ファクシミリ端末５との間でファクシミリ情報を送受信するファクシミリ通信トランク装置４が設けられた交換網１に適用される交換機２に相応する機能として、音声端末６から前記特定の番号を受信すると音声端末６の発信加入者データに特定フラグを立てる特定番号受付部３０に相応する機能と、前記特定フラグが立てられた音声端末６に対するファクシミリ情報の着信の有無を検出するファクシミリ情報着信検出部３１に相応する機能と、この検出する機能の検出結果が着信有りを示すときにはこのファクシミリ情報をファクシミリ通信トランク装置４に着信させる着信先切替部３２に相応する機能と、ファクシミリ通信トランク装置４から前記ファクシミリ情報の受信完了が伝えられると前記特定フラグを解除する特定番号受付部３０に相応する機能と、ファクシミリ通信トランク装置４に対して音声端末６の端末番号を伝える特定番号受付部３０に相応する機能と、ファクシミリ端末５とファクシミリ通信トランク装置４とを交換接続するファクシミリ通信トランク装置交換制御部３３に相応する機能とを実現させることを特徴とするプログラムをコンピュータ装置にインストールすることにより交換機２の機能を実現する。
【００１７】
さらに、コンピュータ装置にインストールすることにより、そのコンピュータ装置に、ファクシミリ情報を送受信することができない第二端末としての音声端末６に対してファクシミリ情報を送受信する第一端末としてのファクシミリ端末５からの着信があるときに音声端末６がその旨を交換機２に通知するための特定の番号が設定され、ファクシミリ端末５との間でファクシミリ情報を送受信する交換機２に接続されたファクシミリ通信トランク装置４に相応する機能として、ファクシミリ情報を受信するファクシミリ情報受信部４０に相応する機能と、この受信する機能が前記ファクシミリ情報を受信完了した旨を交換機２に伝える受信完了通知部４１に相応する機能と、交換機２から端末番号が伝えられると受信完了した前記ファクシミリ情報と前記端末番号とを含む不達通知を作成する不達通知作成部４２に相応する機能と、交換機２によりファクシミリ端末５と交換接続されるとファクシミリ端末５に対して前記不達通知を送信する不達通知送信部４３に相応する機能とを実現させることを特徴とするプログラムをコンピュータ装置にインストールすることによりファクシミリ通信トランク装置４の機能を実現する。
【００１８】
本発明のプログラムは本発明の記録媒体に記録されることにより、コンピュータ装置は、この記録媒体を用いて本発明のプログラムをインストールすることができる。あるいは、本発明のプログラムを保持するサーバからネットワークを介して直接コンピュータ装置に本発明のプログラムをインストールすることもできる。
【００１９】
これにより、コンピュータ装置により、ファクシミリ端末５から音声端末６への誤った着信があったときに、音声端末６への度重なる再着信を防ぎ、誤った端末番号で発呼したファクシミリ端末５へは不達通知により端末番号が誤っていることを知らせることができる交換網１に適用される交換機２およびファクシミリ通信トランク装置４を実現することができる。
【００２０】
以下では、本発明実施例を図１、図４、図５を参照してさらに詳細に説明する。
【００２１】
図１に示す本発明の交換網１では、符号１は交換網、符号２および３は交換網１の交換機、符号４は交換機２に設けたファクシミリ通信トランク装置、符号５は交換機３に収容されたファクシミリ端末、符号６は交換機２に収容されたファクシミリ受信機能を持たない電話機である。ファクシミリ端末５の端末番号は１２３−４５６７、電話端末の端末番号は９８７−６５４３であるとする。
【００２２】
図４は、本発明実施例を説明するための交換機２の動作フローである。まずファクシミリ端末５が、９８７−６５４３をダイヤルすると、交換網１、２経由で音声端末６へ着信する。音声端末６は呼び出しに対して応答するが、モデム音等により相手がファクシミリ端末であることがわかると一旦切断する。ここまでは、通常の交換動作であり、ファクシミリ端末５へは通信が不完了であったことが通知される。
【００２３】
次に、音声端末６は交換網１で定められたサービス番号（ここでは１９１番とする）をダイヤルする。交換機２では、サービス番号１９１を受信すると（ステップ１）、１９１を受信した音声端末６の加入者データの特定フィールドをオンにしておく（ステップ２）。
【００２４】
次に、ファクシミリ端末５は、前回の音声端末６への着信が不完了であったため、一定時間後に自動的に再度、同じ端末番号をダイヤルして接続を試みる（ステップ３）。交換機２では、交換機３から送られてきた端末番号を基に着信分析を行い（ステップ４）、音声端末６への着信であることが分かるが、加入者データの特定フィールドがオンになっているため（ステップ５）、音声端末６へは接続せず、ファクシミリ通信トランク４へ接続する（ステップ６）。ファクシミリ通信トランク装置４では、ファクシミリ端末５からの信号を受信し、ファクシミリ情報を最後まで受信し、通信完了を交換機２へ報告する（ステップ７）。通信が完了すると音声端末６の加入者データの特定フィールドをオフにする（ステップ８）。交換機２はファクシミリ通信トランク装置４に音声端末６の端末番号を与え、ファクシミリ通信トランク装置４は音声端末６の端末番号を不達通知内容に挿入する（ステップ９）。
【００２５】
次に交換機２はファクシミリ端末５に発信し（ステップ１０）、ファクシミリ端末５とファクシミリ通信トランク装置４とを接続する（ステップ１１）。ファクシミリ通信トランク装置４は予め格納しておいた不達通知をファクシミリ端末５へ送信する（ステップ１２）。
【００２６】
図５は不達通知内容の実施例である。２０は不達であったことを示す内容、２１は相手端末番号、２２はファクシミリ端末が送信した情報の一部をコピーしたものである。ファクシミリ端末５では、不達通知を受け取ると相手端末番号を確認して、正しい端末番号をダイヤルして、ファクシミリ情報を送信することになる。
【００２７】
【発明の効果】
以上説明したように、本発明によれば、第一端末から第二端末への誤った着信があったときに、第二端末への度重なる再着信を防ぎ、誤った端末番号で発呼した第一端末へは不達通知により端末番号が誤っていることを知らせることができ、着信側では不快な誤り電話に何度も対応する必要がなく、また交換網においても無効な発信が抑えられ、設備の無効使用をなくすことができる。
【図面の簡単な説明】
【図１】本発明実施例の交換網の全体構成図。
【図２】本発明実施例の交換機のブロック構成図。
【図３】本発明実施例のファクシミリ通信トランク装置のブロック構成図。
【図４】本発明実施例を説明するための交換機のフローチャート。
【図５】不達通知内容の実施例を示す図。
【符号の説明】
１  交換網
２、３  交換機
４  ファクシミリ通信トランク装置
５  ファクシミリ端末
６  音声端末
２０  不達であったことを示す内容
２１  相手端末番号
２２  ファクシミリ端末が送信した情報の一部のコピー
３０  特定番号受付部
３１  ファクシミリ情報着信検出部
３２  着信先切替部
３３  ファクシミリ通信トランク装置交換制御部
４０  ファクシミリ情報受信部
４１  受信完了通知部
４２  不達通知作成部
４３  不達通知送信部
【図１】
0003712970.tif 000002
【図２】
0003712970.tif 000003
【図３】
0003712970.tif 000004
【図４】
0003712970.tif 000005
【図５】
0003712970.tif 000006